(57)【要約】【課題】リモコン装置を取り付ける壁に導電部材が存在する場合であっても、電波を出力する方向による電界強度の偏差を抑えることができるリモコン装置を提供すること。  【解決手段】便器に設置されるトイレ装置本体と、トイレ装置本体を制御するための電波信号を送信する無線回路及びループアンテナを筐体内に有するリモコン装置と、リモコン装置を保持すると共に、壁面に取付けられるリモコンホルダーを有するトイレ装置において、リモコンホルダーは、リモコン装置の筐体の背面部を壁面に平行に保持すると共に、筐体の側部のうち、ループアンテナの長手方向と対向する少なくとも一方の側部を覆う位置に電波遮断部を設けた。【選択図】図４
2007134973.tif 000002
【特許請求の範囲】
【請求項１】
便器に設置され、洗浄機能部、乾燥機能部又は脱臭機能部を有するトイレ装置本体と、前記トイレ装置本体の前記機能部を制御するための電波信号を送信する無線回路及びループアンテナを筐体内に有するリモコン装置と、前記リモコン装置を保持すると共に、壁面に取付けられるリモコンホルダーを有するトイレ装置において、
前記リモコンホルダーは、前記リモコン装置の前記筐体の背面部を前記壁面に平行に保持すると共に、前記筐体の側部のうち、前記ループアンテナの長手方向と対向する少なくとも一方の側部を覆う位置に電波遮断部を設けたことを特徴とするトイレ装置。
【請求項２】
前記電波遮断部は、前記筐体の側部全体を覆う位置に設けられたことを特徴とする請求項１に記載のトイレ装置。
【請求項３】
前記壁面は導電部材を含む壁面であって、前記リモコンホルダーは、前記筐体の背面部を覆う第２の電波遮断部を有することを特徴とする請求項１又は請求項２に記載のトイレ装置。
【請求項４】
前記電波遮断部と前記第２の電波遮断部とを一体として形成したことを特徴とする請求項３に記載のトイレ装置。
【請求項５】
前記リモコン装置は、前記リモコンホルダーに保持された状態を検出する保持状態検出部と、前記リモコンホルダーに保持された状態であると判定したとき、前記ループアンテナから出力する電波強度を、前記リモコンホルダーに保持されていない状態よりも強くする制御部とを有することを特徴とする請求項１〜３のいずれか１項に記載のトイレ装置。
【発明の詳細な説明】
【技術分野】
【０００１】
本発明は、トイレ装置の技術に関し、特に衛生洗浄装置などのように便器に設置されるトイレ装置本体と、このトイレ装置本体を制御するための電波信号を送信するリモコン装置とを有するトイレ装置に関する。
【背景技術】
【０００２】
近年、便器を設置したトイレブースには、その快適さから、洗浄機能部、乾燥機能部、脱臭機能部などの各種機能部を有する衛生洗浄装置と呼ばれるトイレ装置が取り付けられてきている。
【０００３】
この種のトイレ装置は、衛生洗浄装置本体などのトイレ装置本体とリモコン装置から構成され、トイレ装置本体は便器に取り付けられ、リモコン装置は便器の前方右壁面或いは前方左壁面に取り付けられるのが一般的である（たとえば、特許文献１参照。）。
【０００４】
トイレ装置の利用者が便座に座っている状態で、前方右壁面或いは前方左壁面に取り付けられたリモコンを操作することによって、リモコン装置からの制御信号がトイレ装置本体へ送られ、その信号を受信したトイレ装置本体によって制御信号に応じた制御が行われる。
【０００５】
リモコン装置において、トイレ装置本体を制御する方式として、特許文献１のように赤外線を利用するものと、特許文献２のように電波を利用するものがある。
【０００６】
赤外線を利用するリモコン装置は、赤外線出力用ＬＥＤによる赤外線による通信を行っていたため、その通信による消費電力が大きい。特に、リモコン装置との向きとの関係や障害物の存在により通信ができない場合が発生するため、複数の赤外線出力用のＬＥＤを複数の方向に向けて配置しなければならず、それによってさらに消費電力が大きくなっている。
【０００７】
一方で、電波を用いた無線通信は、赤外線通信に比べて消費電力を低減することができることから、電波を利用したリモコン装置では、容量の小さな電池を用いることができ、それによってリモコン装置の小型化を図ることができる。
【０００８】
近年、トイレ装置本体を制御するリモコン装置では、その小型化、薄型化が求められており、その点で電波を用いたリモコン装置が適している。
【０００９】
【特許文献１】特公平１−５０７３０号公報
【特許文献２】特開平５−２７２１６４号公報
【発明の開示】
【発明が解決しようとする課題】
【００１０】
ところで、トイレ装置本体を制御するリモコン装置は、上述のようにトイレ装置の利用者が便座に座っている状態で操作ができるように前方右壁面或いは前方左壁面に取り付けなければならない。このように壁面に取り付けたリモコン装置の厚みがあると、トイレ装置の利用者の邪魔になる。そのためリモコン装置が邪魔にならないように厚みを薄くする必要がある。
【００１１】
電波を利用したリモコン装置においては、電波を送信するためのアンテナが必要となり、送信する電波の電波強度及び指向性は、アンテナの種類や形状によって決まる。リモコン装置の厚みを薄くするためには、アンテナが占有する領域を小さくしなければならない。そこで、リモコン装置内の制御基板や操作基板上に形成される金属箔パターンを用いることによってアンテナが占有する領域を小さくすることが考えられる。すなわち、金属箔パターンを基板上にループ上に形成してループアンテナとするのである。
【００１２】
ところが、ループアンテナが形成される制御基板や操作基板は、リモコン装置の厚みを薄くするために壁面と平行に配置することが望ましい。そのため、リモコン装置から出力される電波の電波強度は、壁面に平行な方向の電波に比べ、壁面に垂直な方向の電波の方が弱くなってしまう。
【００１３】
トイレ装置に用いるリモコン装置は、上述のように前方右壁面或いは前方左壁面に取り付けられるため、トイレ装置本体との送受信性能に影響のある壁面に垂直な方向の電波を可及的に強くすることが望ましい。上述のように金属箔パターンを基板上にループアンテナとすることによって弱くなった垂直方向の電波を強くするために、アンテナから出力する電波出力レベルを上げることも考えられるが、以下のように限界がある。
【００１４】
電波出力レベルを上げると、電波強度が最も高い方向と電波強度が弱い方向の両方の電波強度が上がる。リモコン装置から出力できる電波強度の最大値は電波法で規定されており、リモコン装置の電波強度が最も高い方向の電界強度をその最大値としなければならない。したがって、電波強度が弱い方向の電界強度を上げることには限界がある。
【００１５】
しかも、電波出力のレベルを上げると、その分消費電力が増え、リモコン装置の電池寿命が短くなるという問題がある。
【００１６】
そのため、トイレ装置に用いるリモコン装置においては、電波強度が最も高い方向と電波強度が弱い方向の偏差を抑える必要がある。
【００１７】
さらに、リモコン装置は、壁面からリモコン装置を着脱して使用する場合も想定されるので、小型軽量であるほうが望ましい。
【００１８】
また、ループアンテナは制御基板などの基板上に形成しなければならないため、その有効面積を小さくする必要がある。そのため完全な円形にすることは難しく、長方形で構成する場合が多い。そのような場合、長辺の方から放射される電波強度の方が強くなってしまうという問題点がある。
【００１９】
そこで、本発明は、壁取り付けのリモコン装置において、電波を出力する方向による電界強度の偏差を抑えることができるリモコン装置を提供することを目的とする。
【課題を解決するための手段】
【００２０】
請求項１に記載の発明は、便器に設置され、洗浄機能部、乾燥機能部又は脱臭機能部を有するトイレ装置本体と、前記トイレ装置本体の前記機能部を制御するための電波信号を送信する無線回路及びループアンテナを筐体内に有するリモコン装置と、前記リモコン装置を保持すると共に、壁面に取付けられるリモコンホルダーを有するトイレ装置において、前記リモコンホルダーは、前記リモコン装置の前記筐体の背面部を前記壁面に平行に保持すると共に、前記筐体の側部のうち、前記ループアンテナの長手方向と対向する少なくとも一方の側部を覆う位置に電波遮断部を設けたことを特徴とする。
【００２１】
また、請求項２に記載の発明は、請求項１に記載の発明であって、前記電波遮断部は、前記筐体の側部全体を覆う位置に設けられたことを特徴とする。
【００２２】
また、請求項３に記載の発明は、請求項１に記載の発明であって、前記壁面は導電部材を含む壁面であって、前記リモコンホルダーは、前記筐体の背面部を覆う第２の電波遮断部を有することを特徴とする。
【００２３】
また、請求項４に記載の発明は、請求項１〜３のいずれか一項に記載の発明であって、前記電波遮断部と前記第２の電波遮断部とを一体として形成したことを特徴とする。
【００２４】
また、請求項５に記載の発明は、請求項１〜３のいずれか一項に記載の発明であって、前記リモコン装置は、前記リモコンホルダーに保持された状態を検出する保持状態検出部と、前記リモコンホルダーに保持された状態であると判定したとき、前記ループアンテナから出力する電波強度を、前記リモコンホルダーに保持されていない状態よりも強くする制御部とを有することを特徴とする。
【発明の効果】
【００２５】
請求項１に記載の発明によれば、リモコンホルダーにおいて、リモコン装置のループアンテナの長手方向と対向する少なくとも一方の側部に電波遮断部を壁面と垂直な方向に設けるようにしたので、壁面にリモコン装置を取り付けることによって壁面と垂直の方向における電波信号の電界強度が弱くなるような場合であっても、リモコンホルダーによって壁面と平行の方向の電波信号の電界強度も低くすることができるので、電波を出力する方向による電界強度の偏差を抑えることができる。また、壁よりリモコン装置が着脱されて使われる場合も、リモコン装置に電波遮断部を設ける必要がないので、リモコン装置の軽量化が図れる。したがって、壁面にこのリモコンホルダーを介してリモコン装置を取り付けた状態を考慮して、出力電波の強度を調整することによって、リモコン装置とトイレ装置本体間の通信のＱｏＳ（Quality  of  Service）を向上させることができる。
【００２６】
また、請求項２に記載の発明によれば、リモコン装置の側部全体をリモコンホルダーの電波遮断部により覆うようにしたため、リモコン装置の側部からのループアンテナ全周の電波出力を遮断することができるので、リモコンホルダーによって壁面と平行の方向全体の電波信号の電界強度も低くすることができ、よって、電波を出力する方向による電界強度の偏差を抑えることができる。また、電波遮断部を鋼板などの金属材料で構成することにより、リモコンホルダーの構造的な強度も上げることができる。
【００２７】
また、請求項３に記載の発明によれば、前記壁面は導電部材を含む壁面であって、リモコン装置の筐体の背面部を覆う第２の電波遮断部をリモコンホルダーに設けたので、リモコン装置が導電性部材を含む壁面に取付けられるか否かに関係なく、平行方向及び垂直方向の出力電波の偏差を抑えることができる。すなわち、トイレ装置が取り付けられるトイレブースによっては、その壁面を塩ビ鋼板としているものがある。例えば、ビジネスホテルなどのトイレ付きユニットバスなどである。このように塩ビ鋼板などで形成されている壁面に電波を利用したリモコン装置を取り付けた場合、リモコン装置から出力される電波は壁面の影響を受け、方向によってその電波強度が変わってしまうが、本発明のように構成することにより壁面に対して平行方向及び垂直方向の出力電波の偏差を抑えることができる。
【００２８】
また、請求項４に記載の発明によれば、リモコンホルダーは、電波遮断部と第２の電波遮断部とを一体として形成したので、電波遮断部の形成が容易となる。
【００２９】
また、請求項５に記載の発明によれば、リモコンホルダーに保持されているか否かによって、ループアンテナから出力する電波強度を変更することとしたので、リモコンホルダーへの取付の有無で発生する電波強度の差を抑制することができる。したがって、壁面に取り付けられ、電波強度の偏差を抑えるために全体の電波強度が落ちるような場合であっても、送信電力を上げることにより、電波法に限界値まで強くすることができる。
【発明を実施するための最良の形態】
【００３０】
（第１実施形態）
以下、本発明の実施の形態におけるトイレ装置Ｓについて、図面を参照しながら説明する。図１は、トイレブースに設置されたトイレ装置Ｓを示す図である。
【００３１】
図１に示すように、本発明の実施形態におけるトイレ装置Ｓは、トイレブース内の便器４に設置されたトイレ装置本体１と、このトイレ装置本体１を制御するための電波信号を送信する後述の無線回路２５とループアンテナ２９とを有するリモコン装置２ａと、リモコン装置２ａを保持すると共に、トイレブースの壁面１０に取付けられるリモコンホルダー３ａとから構成される。なお、トイレブースの壁面１０は、塩ビやポリエステル系樹脂を印刷又は張り合わせた鋼板等の導電部材を有する部材（たとえば、塩ビ鋼板）で形成されている。
【００３２】
トイレ装置本体１は、便器４上に設置され、各種機能を制御するための制御部等を有する衛生洗浄装置本体５と、衛生洗浄装置本体５に回動可能に連結された便座６と、同じく衛生洗浄装置本体５に回動可能に連結された便蓋７とから構成される。
【００３３】
衛生洗浄装置本体５は、洗浄機能部、乾燥機能部、脱臭機能部、便座保温機能部など各種機能部を動作させる本体制御部（図示せず）を有し、さらにリモコン装置２ａから送信される電波信号を受信する受信アンテナ及び電波受信部を備えている。そして、リモコン装置２ａから電波として出力される制御信号（以下、「電波信号」とする。）を、受信アンテナを介して電波受信部で受信すると、本体制御部は、その電波信号に従った制御を行うようになっている。
【００３４】
次に、リモコン装置２ａの具体的構成について、図面を参照して具体的に説明する。図２はリモコン装置２ａのブロック構成図、図３はリモコン装置２ａの斜視図、図４はリモコンホルダー３ａ及びリモコン装置２ａの断面図、図５はリモコン装置２ａの背面カバー３２を取り外した状態でのリモコン装置２ａの背面図である。
【００３５】
図２に示すように、リモコン装置２ａは、各種洗浄機能ボタン、乾燥ボタン、洗浄パワー制御ボタン、マッサージボタンなどの入力部２２と、時刻や制御内容を表示するための表示部２３と、各種設定内容などを記憶する記憶部２４と、衛生洗浄装置本体５へ制御信号を送受信するための無線回路２５と、無線回路２５から出力される制御信号を電波信号に変換してトイレ装置本体１へ送信するループアンテナ２９と、リモコン装置２ａ全体の制御を統括する制御部２６とから構成される。
【００３６】
そして、トイレ装置本体１の使用者によって入力部２２が操作されると、制御部２６がそれを検出し、操作された入力部２２のボタン種別に応じた制御信号を無線回路２５へ出力する。そして、無線回路２５がその制御信号を高周波変調信号へ変換し、ループアンテナ２９によって、電波信号として衛生洗浄装置本体５へ送信する。
【００３７】
ここで、無線回路２５は、変調回路２７と、増幅回路２８とから構成されている。変調回路２７は、制御部２６から入力される制御信号を、内部の発振回路２７ａ（図示せず）にて発生した所定周波数信号（例えば、４４．５７ＭＨｚ）に基づき、周波数逓倍回路２７ｂにて周波数の逓倍化を行い、さらに内部の帯域フィルタ回路２７ｃ（図示せず）で所定の高次高調波成分（例えば、７次高調波成分の３１２ＭＨｚ帯域）のみを通過させる機能を有する回路である。また、増幅回路２８は、変調回路２７から出力される信号の電力を増幅するとともに、後述するループアンテナ２９との整合回路２８ａ（図示せず）を有する回路である。
【００３８】
また、ループアンテナ２９は、増幅回路２８から出力された増幅信号を電波信号として衛生洗浄装置本体５へ出力するアンテナであり、後述のプリント基板３３上に形成されたループアンテナ２９によって構成されている。プリント基板３３は、エポキシ樹脂によって形成された基板上に銅箔などの金属箔がパターン形成されてなり、ループアンテナ２９はこの金属箔パターンによって形成されている。
【００３９】
図３は、リモコン装置２ａの外観を示す図であり、この図に示すように、リモコン装置２ａは、その筐体３０を厚さ方向ｔが薄い略箱状の形状としており、その筐体前面部１２ｆには、筐体前面端部以外の筐体前面部分に操作パネルとして入力部２２や表示部２３などが設けられている。なお、筐体３０の右側部１２ａ、左側部１２ｃ、下側部１２ｂ及び上側部１２ｄは、それぞれ略平面状に形成されており、前面部１２ｆの端部に設けられている。
【００４０】
このリモコン装置２ａの筐体３０は、図４に示すように、入力部２２や表示部２３が露出する開口部を有する前面カバー３１と壁面１０取り付け時に壁面１０とリモコンホルダー３ａを介して対向する背面カバー３２とから構成されており、その筐体背面部は、リモコン装置２ａは、壁面１０と平行となるようにリモコンホルダー３ａによって保持される。
【００４１】
また、この筐体３０内には、無線回路２５、ループアンテナ２９及び制御部２６等が実装されたプリント基板３３が配置される。本実施形態におけるリモコン装置２ａにおいては、プリント基板３３の表面側（前面カバー３１側）に、入力部２２及び表示部２３が設けられており、又その裏面側（背面カバー３２側）には、ＲＯＭやＲＡＭなどの記憶部２４、無線回路２５、ループアンテナ２９及び制御部２６が設けられている。なお、ループアンテナ２９は、図５に示すように、リモコン装置２ａの筐体３０の右側部１２ａ近傍に配置されており、その長手方向は、右側部１２ａと略平行をなしている。
【００４２】
次に、リモコンホルダー３ａ具体的構成について、図面を参照して具体的に説明する。図６はリモコンホルダー３ａの斜視図である。
【００４３】
図６に示すように、リモコンホルダー３ａは、プラスチックなどの合成樹脂からなる前面を開口した箱状のケースを基部とし、その基部内側部４４ａ〜４４ｄは、電波遮断部としての薄い鋼板４５ａ〜４５ｄが配置されている。この鋼板は、基部内側部４４ａ〜４４ｄに沿うように方形の環状をなしている。なお、鋼板に代えて基部内面に導電性部材を蒸着等によって形成するようにしてもよい。
【００４４】
リモコンホルダー３ａの内部は、リモコン装置２ａをその開口から挿入することによりリモコン装置２ａが係合する形状となっている。本実施形態においては、リモコンホルダー３ａの側部内周をリモコン装置２ａの側部１２ａ〜１２ｄ外周とほぼ同一寸法とすることによって、リモコン装置２ａをリモコンホルダー３ａに嵌合させることによって上記係合を行うようにしている。
【００４５】
また、リモコンホルダー３ａの基部底部４４ｅには、その底面にネジ固定用の貫通孔４１が２以上設けられており、この貫通孔４１は固定用ネジ４２のネジ部４２ａよりもその径が大であり、ネジ頭部４２ｂよりも小である寸法でリモコンホルダー３ａに形成されている。
【００４６】
ここで、トイレブースの壁面１０は、上述のように塩ビやポリエステル系樹脂を印刷又は張り合わせた鋼板等の導電部材を有する部材で形成されており、リモコンホルダー３ａの底部の貫通孔に形成された貫通孔４１を介して、リモコンホルダー３ａが壁面１０に固定用ネジ４２によって取り付けられる（図４参照）。
【００４７】
このようにリモコンホルダー３ａは、リモコン装置２ａの背面部１２ｅを壁面１０に平行に保持すると共に、リモコン装置２ａの筐体側部１２ａ〜１２ｄを覆う電波遮断部４５ａ〜４５ｄを設けており、この電波遮断部４５ａ〜４５ｄによってループアンテナ２９から送信される電波信号が遮断される。
【００４８】
したがって、電波信号がリモコン装置２ａの側部から出力される電波信号のリモコンホルダー３ａ外へ出力が抑制される。また、リモコン装置２ａの背面部１２ｅは、リモコンホルダー３ａを介して壁面１０に近接しており、そのため壁面１０の導電部材によってリモコン装置２ａの背面部１２ｅから出力される電波信号のリモコンホルダー３ａ外へ出力が抑制される。
【００４９】
その結果、導電性部材を有する壁面１０によって、壁面１０と垂直の方向へのループアンテナからの電波出力が低下すると共に、リモコンホルダー３ａの電波遮断部４５ａ〜４５ｄによって壁面１０と平行の方向へのループアンテナからの電波出力が低下し、壁面１０と垂直の方向への電波信号と平行の方向への電波信号の電界強度偏差を抑制することができる。
【００５０】
したがって、導電性部材を有する壁面１０にリモコン装置２ａを取り付けることによって、従来であれば壁面１０と平行な方向に比べて垂直な方向の電界強度が大きく下がることになるが、本実施形態におけるリモコンホルダー３ａによって、壁面１０に平行な方向の電波信号の電界強度も下がるため、壁面１０と平行な方向と垂直な方向との偏差を小さくすることができる。これにより、壁面にこのリモコンホルダー３ａを介してリモコン装置２ａを取り付けた状態を考慮して、電波信号の電波強度を調整することによって、リモコン装置２ａとトイレ装置本体１間の通信のＱｏＳ（Quality of Service）を向上させることができ、リモコン装置２ａの取り付け位置やリモコン装置２ａを操作する利用者の人体の影響などから、リモコン装置２ａが衛生洗浄装置本体５との通信ができなくなる可能性を低減することができる。
【００５１】
なお、本実施形態においては、リモコンホルダー３ａの電波遮断部４５ａ〜４５ｄをリモコン装置２ａの側部１２ａ〜１２ｄ全体を覆う構成として説明したが、リモコン装置２ａの側部１２ａ〜１２ｄのうち、ループアンテナ２９の長手方向と対向する側部やループアンテナ２９に近接する側部のみに電波遮断部を設けるようにしてもよい。
【００５２】
たとえば、ループアンテナ２９がリモコン装置２ａの右側部近傍に設けられているときには、図７（ａ）に示すように右側部１２ａに電波遮断部４５ａを設けることにより、壁面１０に平行な方向の電波信号の電界強度を下げ、壁面１０と垂直の方向との電界強度の偏差を小さくすることができると共に、電波遮断部も最小限でよく、コスト的にメリットがある。この場合、図７（ａ）に示すように、リモコンホルダー３ａを箱状とせず、壁面１０への取り付け用の基部底部４４ｅと電波遮断部４５ａを有する一側部４４ａとから構成することもできる。これにより、リモコンホルダー３ａの構成が複雑にならず、コスト的にもメリットがある。なお、図７（ａ）(ｂ)に示すように、底面４４ｅにはリモコン装置２ａを取り付けるためのフック状の係止部４３ａを形成すると共に、リモコン装置２ａにはこの係止部４３ａと係合する係合穴を設けるようにしてもよい。図７(ｂ)は、リモコン装置２ａを右側方から見た場合のリモコン装置２ａ中心付近の断面図である。
【００５３】
また、このようにループアンテナ２９がリモコン装置２ａの右側部近傍に設けられているとき、図８（ａ）に示すように、右側部１２ａと上下側部１２ｂ，１２ｄの一部とを覆う位置に電波遮断部を設けることにより、右側部１２ａのみに電波遮断部を設けることに比べ、壁面１０に平行な方向の電波信号の電界強度をより下げ、壁面１０と垂直の方向との電界強度の偏差をより小さくすることができる。この場合、図８（ａ）に示すように、壁面１０への取り付け用の底面と電波遮断部を有する右側部４４ａ及び上下側部４４ｂ，４４ｄとから構成することもできる。なお、図８（ａ）（ｂ）に示すように、底面４４ｅにはリモコン装置２ａを取り付けるためのレール状の係止部４３ｂを形成すると共に、リモコン装置２ａにはこの係止部４３ｂと係合する係合部を設けるようにしてもよい。図８（ｂ）は、リモコン装置２ａを右側方から見た場合のリモコン装置２ａ中心付近の断面図である。
【００５４】
また、図９（ａ）に示すように、ループアンテナ２９の長手方向がリモコン装置２ａの下側部１２ｂ近傍に左右にわたって設けられているときには、下側部１２ｂ及び左右側部１２ａ，１２ｃを覆う位置に電波遮断部を設けることにより、壁面１０に平行な方向の電波信号の電界強度を下げ、壁面１０と垂直の方向との電界強度の偏差を小さくすることができる。この場合、図９（ａ）に示すように、壁面１０への取り付け用の基部底部４４ｅと電波遮断部４５ａ〜４５ｃを有する下側部４４ｂ及び左右側部４４ａ，４４ｃとから構成することもできる。なお、図９（ａ）（ｂ）に示すように、左右側部４４ａ，４４ｃの先端をそれぞれ対向する側部に向けて屈曲させた係止部４６ａ，４６ｃを形成して、リモコン装置２ａを取り付けることができる。図９（ｂ）は、図９（ａ）におけるＡ−Ａ´線のＡ−Ａ´断面図である。
【００５５】
以上のように、導電部材を有する壁面１０にリモコン装置２ａを取り付けなければならないときであっても、リモコン装置２ａの側部１２ａ〜１２ｄのうち、少なくともループアンテナ２９の長手方向と対向する側部やループアンテナ２９に近接する側部を覆う位置に電波遮断部を設けることにより、壁面１０と垂直の方向との電界強度の偏差をより小さくすることができ、その結果、壁面１０と垂直方向の電界強度を上げることができる。
【００５６】
なお、上述のトイレ装置においては、導電部材を有する部材によりトイレブースの壁面１０が形成されている場合について説明したが、これに限られるものではない。たとえば、ループアンテナが形成される制御基板や操作基板がリモコン装置の厚みを薄くするために壁面１０と平行に配置されたような場合、リモコン装置から出力される電波の電波強度は、壁面１０に平行な方向の電波に比べ、壁面１０に垂直な方向の電波の方が弱くなってしまう。このような場合であっても、上述のようにリモコン装置２ａの側部１２ａ〜１２ｄのうち、少なくともループアンテナ２９の長手方向と対向する側部やループアンテナ２９に近接する側部を覆う位置に電波遮断部を設けることにより、壁面１０と垂直の方向との電界強度の偏差をより小さくすることができ、その結果、壁面１０と垂直方向の電界強度を上げることができる。
【００５７】
（第２実施形態）
上述の第１実施形態におけるリモコンホルダー３ａにおいては、その基部内側部４４ａ〜４４ｄに電波遮断部を設けるようにしたが、第２実施形態のリモコンホルダー３ｂにおいては、基部内側部４４ａ〜４４ｄに加え、底部４４ｅにも電波遮断部４４ａ〜４５ｅを設けている。このように構成することによって、壁面１０に導電部材を有しているか否かにかかわらず壁面１０と垂直の方向との電界強度の偏差をより小さくすることができる。
【００５８】
以下、第２実施形態のトイレ装置Ｓ１について、図面を参酌しながら具体的に説明する。なお、第２実施形態のトイレ装置Ｓ１は、リモコンホルダーを除いて、第１実施形態のトイレ装置Ｓと同様の構成であるため、トイレ装置本体１及びリモコン装置２ａの機能及び構成の説明は省略するものとする。また、同一機能のものについては、同一符号を付すものとする。
【００５９】
本実施形態におけるリモコンホルダー３ｂは、図１０に示すように、プラスチックなどの合成樹脂からなる前面を開口した箱状のケースを基部とし、その基部内側部４４ａ〜４４ｄ及び基部底部４４ｅは、電波遮断部としての薄い鋼板４５ａ〜４５ｅが配置されている。この鋼板は、平らな鋼板の上下左右の端部を同一垂直方向に屈曲させて前面を開口した略箱状の形状をなしている。なお、鋼板に代えて基部内面に導電性部材を蒸着等によって形成するようにしてもよい。また、基部内側部４４ａ〜４４ｄに形成された鋼板などの導電部材４５ａ〜４５ｄが第１の電波遮断部に対応し、基部底部４４ｅに形成された鋼板などの導電部材４５ｅが第２の電波遮断部に対応する。本実施形態においては、上述のように第１の電波遮断部と第２の電波遮断部とが一体として形成されている。以下、第１の電波遮断部及び第２の電波遮断部のいずれか１つ或いはその両方を電波遮断部ということがある。
【００６０】
また、リモコンホルダー３ｂは、その底部にネジ固定用の貫通孔４１が２以上設けられており、この貫通孔４１は固定用ネジ４２のネジ部４２ａよりもその径が大であり、ネジ頭部４２ｂよりも小である寸法でリモコンホルダー３ｂに形成されている。
【００６１】
ここで、トイレブースの壁面１０は、塩ビやポリエステル系樹脂を印刷又は張り合わせた鋼板等の導電部材を有する部材（たとえば、塩ビ鋼板）で形成されており、リモコンホルダー３ｂの底部の貫通孔に形成された貫通孔４１を介して、リモコンホルダー３ｂを壁面に固定用ネジで取り付けることにより、この固定用ネジを介してリモコンホルダー３ｂの電波遮断部と壁面１０の導電部材とが電気的に接続される。
【００６２】
このようにリモコンホルダー３ｂは、リモコン装置２ａの筐体背面部を壁面１０に平行に保持すると共に、リモコン装置２ａの筐体背面１２ｅ及び筐体側部１２ａ〜１２ｄを覆う位置に電波遮断部４５ａ〜４５ｅを設けており、この電波遮断部４５ａ〜４５ｅによってループアンテナ２９から送信される電波信号が遮断される。したがって、電波信号がリモコン装置２ａの筐体背面１２ｅ及び側部１２ａ〜１２ｄから出力される電波信号のリモコンホルダー３ｂ外へ出力が抑制される。しかも、リモコンホルダー３ｂの電波遮断部４５ａ〜４５ｅが壁面１０の導電部材に電気的に接続されていることから電波遮断効果が増す。
【００６３】
ところで、塩ビ鋼板などのように導電部材を有する壁面にリモコン装置２ａを取り付けると、リモコン装置２ａが塩ビ鋼板に近接して配置されることになり、この壁面の鋼板とリモコン装置との間で浮遊容量や相互インダクタンスが発生する。無線回路においては、比較的小さい値のコンデンサ素子やインダクタンス素子、又インピーダンスが高い部分などが存在することが多く、この浮遊容量や相互インダクタンスの影響が無視できないようになる。すなわち、この浮遊容量や相互インダクタンスが、無線回路から発生する電波の周波数や強度（出力レベル）に大きな影響を及ぼすことになる。
【００６４】
そのため、塩ビ鋼板などの導電部材を有する壁面１０にリモコン装置を取り付けると、リモコン装置２ａの無線回路２５が出力する電波の周波数ずれや出力レベル低下などの現象が発生し、このリモコン装置２ａから出力される電波をトイレ装置本体側で受信できなくなるという問題が発生する。
【００６５】
本実施形態のリモコンホルダー３ｂの電波遮断部は、リモコン装置２ａの無線回路２５を覆うように配置されているため、リモコン装置２ａを本実施形態のリモコンホルダー３ｂに取り付けることによって、リモコン装置２ａの無線回路２５と壁面１０の導電部材との間で生じる浮遊容量や相互インダクタンスの発生を大幅に低減することができる。
【００６６】
ところで、リモコン装置２ａを本実施形態のリモコンホルダー３ｂに取り付けると、リモコンホルダー３ｂの電波遮断部との間で浮遊容量や相互インダクタンスが発生するが、電波遮断部が接地されることになるため、壁面１０の導電部材と電波遮断部との間で発生する浮遊容量や相互インダクタンスによる無線回路２５の出力へ影響が少ない。
【００６７】
したがって、導電部材を有する壁面１０にリモコン装置２ａを取り付ける前後における無線回路２５の出力（電波の周波数や出力レベル等）の変化を大幅に抑えることができる。なお、リモコンホルダー３ｂの電波遮断部４５ａ〜４５ｅは、無線回路２５の動作に影響を及ぼすような浮遊容量（Ｃ）や相互インダクタンスを、無線回路２５との間で発生するため、無線回路２５の回路設計においては、このような浮遊容量や相互インダクタンスを考慮して、その内部の定数を決定する必要がある。
【００６８】
しかし、リモコン装置２ａの量産時には、リモコンホルダー３ｂの電波遮断部４５ａ〜４５ｅの特性や、この電波遮断部４５ａ〜４５ｅと無線回路２５との位置などにばらつきが発生する。
【００６９】
そこで、本実施形態のリモコン装置２ａの無線回路２５では、上述のように部品のばらつきのみならず、この浮遊容量や相互インダクタンスをも考慮したトリマーコンデンサ（ＶＣ１０１〜ＶＣ１０３。図示せず。）などの特性調整部位が設けられている。
【００７０】
しかも、図１１に示すように、このリモコンホルダー３ｂには、このようなトリマーコンデンサＶＣ１０１〜ＶＣ１０３等の特性調整部位を調整するために、ドライバー等を通すための開口部３４ａ〜ｃが設けられており、したがって、リモコン装置２ａをリモコンホルダー３ｂに取り付けた後に、この開口部から無線回路２５の調整が可能となり、作業性が向上する。
【００７１】
なお、本実施形態においては、リモコンホルダー３ｂの電波遮断部をリモコン装置２ａの筐体背面１２ｅと側部１２ａ〜１２ｄ全体とを覆う構成として説明したが、リモコン装置２ａの側部１２ａ〜１２ｄのうち、ループアンテナ２９の長手方向と対向する側部やループアンテナ２９に近接する側部と背面１２ｅとを覆う位置に電波遮断部を設けるようにしてもよい。
【００７２】
たとえば、ループアンテナ２９がリモコン装置２ａの右側部近傍に設けられているときには、図１２（ａ）に示すように右側部１２ａに電波遮断部４５ａを設けることにより、壁面１０に平行な方向の電波信号の電界強度を下げ、壁面１０と垂直の方向との電界強度の偏差を小さくすることができると共に、電波遮断部も最小限でよく、コスト的にメリットがある。この場合、図１２（ａ）に示すように、リモコンホルダー３ｂを箱状とせず、電波遮断部４５ａ，４５ｅを有する底部４４ｅと一側部４４ａとから構成することもできる。これにより、リモコンホルダー３ｂの構成が複雑にならず、コスト的にもメリットがある。なお、図１２（ａ）(ｂ)に示すように、底面４４ｅにはリモコン装置２ａを取り付けるためのフック状の係止部４６ｅを形成すると共に、リモコン装置２ａにはこの係止部４３ｅと係合する係合部を設けるようにしてもよい。図１２(ｂ)はリモコン装置２ａを右側方から見た場合のリモコン装置２ａ中心付近の断面図である。
【００７３】
また、このようにループアンテナ２９がリモコン装置２ａの右側部近傍に設けられているとき、図１３（ａ）に示すように、右側部１２ａと上下側部１２ｂ，１２ｄの一部とを覆う位置に電波遮断部４５ａ，４５ｂ，４５ｄを設けることにより、右側部１２ａのみに電波遮断部４５ａを設けることに比べ、壁面１０に平行な方向の電波信号の電界強度をより下げ、壁面１０と垂直の方向との電界強度の偏差をより小さくすることができる。この場合、図１３（ａ）に示すように、底部４４ｅと右側部４４ａ及び上下側部４４ｂ，４４ｄとから構成することもできる。なお、図１３（ａ）(ｂ)に示すように、底面４４ｅにはリモコン装置２ａを取り付けるためのレール状の係止部４３ｆを形成すると共に、リモコン装置２ａにはこの係止部４３ｆと係合する係合部を設けるようにしてもよい。図１３(ｂ)は、リモコン装置２ａを右側方から見た場合のリモコン装置２ａ中心付近の断面図である。
【００７４】
また、図１４（ａ）に示すように、ループアンテナ２９がリモコン装置２ａの下側部近傍に左右に長く設けられているときには、下側部１２ｂ及び左右側部１２ａ，１２ｃに覆う位置に電波遮断部４５ａ〜４５ｃを設けることにより、壁面１０に平行な方向の電波信号の電界強度を下げ、壁面１０と垂直の方向との電界強度の偏差を小さくすることができる。この場合、図１４（ａ）に示すように、底部４４ｅ、下側部４４ｂ及び左右側部４４ａ，４４ｃとから構成することもできる。なお、左右側部の先端をそれぞれ対向する側部に向けて屈曲させた係止部４４ｇ，４４ｈを形成して、リモコン装置２ａを取り付けることができる。図１４(ｂ)は、図１４（ａ）におけるＢ−Ｂ´線の断面図である。
【００７５】
以上のように、導電部材を有する壁面１０にリモコン装置２ａを取り付けなければならないときであっても、リモコン装置２ａの筐体背面１２ｅと、側部１２ａ〜１２ｄのうち、少なくともループアンテナ２９の長手方向と対向する側部やループアンテナ２９に近接する側部とを覆う位置に電波遮断部を設けることにより、壁面１０と垂直の方向との電界強度の偏差をより小さくすることができ、その結果、壁面１０と垂直方向の電界強度を上げることができる。
【００７６】
（第３実施形態）
上述の第１実施形態及び第２実施形態においては、電波遮断部を有するリモコンホルダー３ａ，３ｂを介してリモコン装置２ａを壁面１０に取り付けた状態において、リモコン装置２ａから出力される電波信号の電界強度の方向偏差を抑制するトイレ装置Ｓ，Ｓ１を説明したが、リモコン装置２ａをリモコンホルダー３から取り外すと電波強度が大きくなる。すなわち、リモコン装置２ａをリモコンホルダー３ａ，３ｂに取り付けた場合と取り外した場合とで電波信号の電波強度が大きく変わってしまう。そこで、本第３実施形態においては、リモコン装置２ａをリモコンホルダーに取り付けた場合と取り外した場合とで電波信号の電波強度の変化を抑制することができるトイレ装置Ｓ２を提供するものである。
【００７７】
以下、第３実施形態のトイレ装置Ｓ２について、図面を参酌しながら具体的に説明する。なお、第３実施形態のトイレ装置Ｓ２は、リモコンホルダー及びリモコン装置を除いて、第１及び第２実施形態のトイレ装置Ｓと同様の構成であるため、トイレ装置本体１の機能及び構成の説明は省略するものとする。また、同一機能のものについては同一符号を付するものとする。
【００７８】
リモコン装置２ｂは、図１５に示すように、入力部２２、表示部２３、記憶部２４、無線回路２５、ループアンテナ２９及び制御部２６´に加え、保持状態検出部としてのリモコンホルダー取付検出部３５を備えている。
【００７９】
リモコンホルダー取付検出部３５は、リモコン装置２ｂがリモコンホルダー３に取り付けられているか否かを検出する機能を有しており、図１６に示すように、リモコン装置２ｂの背面部１２ｅに設けられたスイッチ５０から構成される。
【００８０】
リモコンホルダー３ｃは、図１７に示すように、リモコン装置２ｂと対向する基部底部４４ｅに突起部を有していることを除いて第２実施形態におけるリモコンホルダー３ｂと同様の構成となっており、リモコン装置２ｂをリモコンホルダー３ｃに取り付けたときにこの突起部４７がスイッチ５０を押下するように構成される。そして、突起部４７がスイッチ５０を押下すると、スイッチ５０のオン状態（短絡状態）となり、制御部２６´はこの状態を検出することによってリモコン装置２ｂがリモコンホルダー３ｃに取り付けられていると判定する。一方、スイッチ５０がオフ状態の時には、制御部２６´はリモコン装置２ｂがリモコンホルダー３ｃに取り付けられていないと判定する。
【００８１】
無線回路２５の増幅回路２８は、その増幅率を２段階に可変できるように構成されており、制御部２６によってその増幅率が制御される。すなわち、制御部２６は、リモコン装置２ｂがリモコンホルダー３に取り付けられていないと判定すると、低い増幅率となるように増幅回路２８を制御し、リモコン装置２ｂがリモコンホルダー３ｃに取り付けられていると判定すると、高い増幅率となるように増幅回路２８を制御する。
【００８２】
このように、本実施形態におけるトイレ装置Ｓ２は、そのリモコン装置２ｂにおいて、リモコンホルダー３ｃに保持された状態を検出する保持状態検出部であるリモコンホルダー取付検出部３５と、リモコンホルダーに保持された状態であると判定したとき、ループアンテナから出力する電波強度を、前記リモコンホルダーに保持されていない状態よりも強くする制御部２６´とを有している。その結果、すなわち、リモコン装置２ｂをリモコンホルダー３に取り付けた場合と取り外した場合とで電波信号の電波強度の変化を抑制することができる。
【図面の簡単な説明】
【００８３】
【図１】トイレブースに設置された本発明の実施形態に係るトイレ装置を示す図。
【図２】第１実施形態に係るリモコン装置のブロック構成図。
【図３】第１実施形態に係るリモコン装置の斜視図。
【図４】第１実施形態に係るリモコンホルダー及びリモコン装置の断面図。
【図５】第１実施形態に係るリモコン装置の背面図。
【図６】第１実施形態に係るリモコンホルダーの斜視図。
【図７】第１実施形態に係るリモコンホルダーの電波遮断部の説明図。
【図８】第１実施形態に係るリモコンホルダーの電波遮断部の説明図。
【図９】第１実施形態に係るリモコンホルダーの電波遮断部の説明図。
【図１０】第２実施形態におけるリモコンホルダーの斜視図。
【図１１】第２実施形態におけるリモコンホルダーの背面図。
【図１２】第２実施形態に係るリモコンホルダーの電波遮断部の説明図。
【図１３】第２実施形態に係るリモコンホルダーの電波遮断部の説明図。
【図１４】第２実施形態に係るリモコンホルダーの電波遮断部の説明図。
【図１５】第３実施形態に係るリモコン装置のブロック構成図。
【図１６】第３実施形態におけるリモコン装置の斜視図。
【図１７】第３実施形態におけるリモコンホルダーの斜視図。
【符号の説明】
【００８４】
Ｓ  トイレ装置
１  トイレ装置本体
２ａ，２ｂ  リモコン装置
３ａ，３ｂ，３ｃ  リモコンホルダー
４  便器
１０  壁面
１２ａ〜１２ｄ  リモコン装置の側部
１２ｅ  リモコン装置の背面部
２５  無線回路
２６  制御部
２８  増幅回路
２９  ループアンテナ
３０  リモコン装置の筐体
３３  プリント基板
３５  リモコンホルダー取付検出部
【図１】
2007134973.tif 000003
【図２】
2007134973.tif 000004
【図３】
2007134973.tif 000005
【図４】
2007134973.tif 000006
【図５】
2007134973.tif 000007
【図６】
2007134973.tif 000008
【図７】
2007134973.tif 000009
【図８】
2007134973.tif 000010
【図９】
2007134973.tif 000011
【図１０】
2007134973.tif 000012
【図１１】
2007134973.tif 000013
【図１２】
2007134973.tif 000014
【図１３】
2007134973.tif 000015
【図１４】
2007134973.tif 000016
【図１５】
2007134973.tif 000017
【図１６】
2007134973.tif 000018
【図１７】
2007134973.tif 000019